(57)【特許請求の範囲】
【請求項１】
複数のバーナーを有するシステムキッチンレンジのガードプレートを覆うためのシステムキッチンレンジ用汁受け皿覆いであって、
ガードプレートの底面を覆うように形成され、隣接する２つのバーナー用開口に対応する位置に前記バーナー用開口の各々を露出させるのに必要な穴より大きな２つの本体穴が形成された底部を含む本体マットと、
前記本体穴の各々を塞ぐような大きさに形成され、塞いだ状態で対応する前記バーナー用開口のみを露出させるのに必要な補助穴が形成された２つの補助マットとからなり、
前記補助マットは、隣接するバーナー同志の隣接方向への移動を可能とすると共に前記本体マットに対する移動位置のいずれにおいても前記本体穴を覆う大きさに形成され、前記補助マットを移動させることによって、前記補助穴の各々の中心間距離が変動する、システムキッチンレンジ用汁受け皿覆い。
【請求項２】
前記本体穴の各々は、前記隣接方向に長い長穴形状を有し、
前記補助マットは、前記本体穴の大きさより前記隣接方向に対して所定寸法だけ大きく形成されている、請求項１記載のシステムキッチンレンジ用汁受け皿覆い。
【請求項３】
前記本体穴は前記本体マットの底部から立上る立上り部によって形成され、
前記補助マットには、その底部から立上るように形成され、前記立上り部が当接した状態で前記隣接方向への前記補助マットの所定範囲の移動を可能とする平坦部が形成される、請求項２記載のシステムキッチンレンジ用汁受け皿覆い。
【請求項４】
前記補助マットは、その底部の外周縁から立上る立上り部と、前記立上り部の上端から水平方向に伸びるフランジ部とを更に備えた、請求項３記載のシステムキッチンレンジ用汁受け皿覆い。
【請求項５】
前記本体マットに対する前記補助マットの移動中心位置において、前記補助穴の軸は前記本体穴の軸に対して前記補助マットの移動方向に対して偏心している、請求項３又は請求項４記載のシステムキッチンレンジ用汁受け皿覆い。
【発明の詳細な説明】
【０００１】
【発明の属する技術分野】
この発明はシステムキッチンレンジ用汁受け皿覆いに関し、特にシステムキッチンレンジのバーナー部周りのガードプレートの底面を覆うシステムキッチンレンジ用汁受け皿覆い及びシステムキッチンレンジ用汁受け皿の被覆方法に関するものである。
【０００２】
【従来の技術】
図１０は一般のシステムキッチンレンジの概略構成を示す平面図である。
【０００３】
図を参照して、システムキッチンレンジ７０はレンジトッププレート４７に埋め込まれて設置されたガードプレート４８を主体として構成されている。ガードプレート４８の底面４９には図において上方側にバーナー７１が設置され、その下方側に並列的に２つのバーナー５３及びバーナー７３が設置されている、いわゆる３口形式のレンジである。バーナー７１の周辺にはバーナーリング７２が取付けられ、バーナー５３の周辺にはバーナーリング５４が、バーナー７３の周辺にはバーナーリング７４が各々底面４９の上に設置されている。ガードプレート４８の平坦面５２とバーナー７１等が取付けられている底面４９との境界部は段部５１となっており、この段部５１に五徳５６及び五徳７５の枠体が取外し自在に設置されている。
【０００４】
ガードプレート４８の上方部には、レンジトッププレート４７の下方に設置されている調理用グリル（図示せず）からの熱気を排出するためのグリル排気口７６が取付けられている。
【０００５】
図１１は図１０で示したシステムキッチンレンジ７０に対して設置されるシステムキッチンレンジ用汁受け皿覆いの外観形状を示した平面図である。
【０００６】
図を参照して、システムキッチンレンジ用の汁受け皿覆い７８はアルミニウム箔のプレス成形によって形成され、ガードプレート４８の底面４９に対応する形状の底部１６と、底部１６の外周縁から立上るようにして形成されている側壁部１７と、側壁部１７の上端縁から水平方向に伸びる平坦部７９と、平坦部７９の外周縁から立上る立上り部８０と、立上り部８０の外周縁から水平方向に延びるフランジ部８１と、フランジ部８１の外周縁に形成された縁巻２４とによって構成されている。
【０００７】
汁受け皿覆い７８の底部１６の図における上方部には、システムキッチンレンジ７０のバーナー７１の開口に対応した丸穴２３が形成されている。又、底部１６の図における下方部には、システムキッチンレンジ７０のバーナー５３及びバーナー７３の各々の開口に対応した丸穴８２及び丸穴８３が形成されている。尚、丸穴２３、丸穴８２及び丸穴８３は各々その周辺の底部１６の部分が立上げられ、その端部に縁巻加工が施されて形成されている。
【０００８】
又、汁受け皿覆い７８の中央部を水平方向に横切るように蛇腹部１９が形成されており、この蛇腹部１９と側壁部１７の下方部分との間の底部１６の領域には、丸穴８２と丸穴８３とを隔離するような堰部２０が形成されている。
【０００９】
図１２は図１１に示した汁受け皿覆い７８を図１０に示したシステムキッチンレンジ７０に設置した状態の平面図であり、図１３は図１２のＸＩＩＩ−ＸＩＩＩラインの端面図である。
【００１０】
これらの図を参照して、汁受け皿覆い７８をシステムキッチンレンジ７０に設置する際には、まず五徳５６（７５）を取外し、更にバーナー５３（７１，７３）周りのバーナーリング５４（７２，７４）を取外す。この状態で汁受け皿覆い７８をシステムキッチンレンジ７０のガードプレート４８の上に設置する。具体的には、ガードプレート４８の底面４９の上に汁受け皿覆い７８の底部１６が載置され、汁受け皿覆い７８の丸穴８２を構成する縁巻８４がガードプレート４８のバーナー用開口５５に対応する位置となるように調整される。
【００１１】
汁受け皿覆い７８は、設置しようとするガードプレート４８の寸法に対応した大きさとなっている。そのため、丸穴８２をバーナー用開口５５に合わせた状態において汁受け皿覆い７８の平坦部７９はガードプレート４８の段部５１上に設置され、フランジ部８１はガードプレート４８の平坦面５２上に設置される。次に、取外していたバーナーリング５４をバーナー５３周りの元の位置に設置し、更に取外していた五徳５６をその枠体の底部が段部５１上の平坦部７９の上に位置するように設置する。
【００１２】
このようにして汁受け皿覆い７８をガードプレート４８に対して設置することによって、バーナー５３を用いた調理時における煮汁等の汚れは汁受け皿覆い７８上に落下することになり、ガードプレート４８の上面を汚すことはない。汁受け皿覆い７８の汚れが目立ってきた場合には、五徳５６及びバーナーリング５４を取外して汁受け皿覆い７８を新たなものに取り代えることによって、常にガードプレート４８の上面を保護した状態でシステムキッチンレンジ７０を使用することが可能となる。
【００１３】
【発明が解決しようとする課題】
上記のような従来のシステムキッチンレンジ用汁受け皿覆いにあっては、設置しようとするシステムキッチンレンジのガードプレートの並列するバーナー間距離と、それに対応する汁受け皿覆いの丸穴間の距離とが一致していれば特に問題はない。図１１に示されているように丸穴２３と丸穴８２又は丸穴８３との距離については、蛇腹部１９を伸縮させることによってある程度の調整は可能である。しかし、丸穴８２と丸穴８３との距離Ｗ２は、堰部２０によっては調整できず汁受け皿覆い７８によって固定的なものとなり、それを調整することは困難である。
【００１４】
一方、この寸法Ｗ２に対応するバーナー５３とバーナー７３との距離Ｗ１は、製造されるシステムキッチンレンジ７０によって２６５〜３２０ｍｍの範囲でばらつきが大きいものである。従って、取付け対象であるシステムキッチンレンジ７０のバーナー間距離Ｗ１に合致させた丸穴８２及び丸穴８３間の距離Ｗ２を有する汁受け皿覆い７８を製造しなければならない。そのため、汁受け皿覆い７８として距離Ｗ２が異なった製品を多く作らざるを得ず、コスト的に不利なものとなっていた。
【００１５】
この発明は上記のような課題を解決するためになされたもので、バーナー間距離が異なるシステムキッチンレンジにあっても、バーナー用開口周りを確実に塞ぐことを可能とするシステムキッチンレンジ用汁受け皿覆いを提供することを目的とする。
【００１６】
【課題を解決するための手段】
上記の目的を達成するために、請求項１記載の発明は、複数のバーナーを有するシステムキッチンレンジのガードプレートを覆うためのシステムキッチンレンジ用汁受け皿覆いであって、ガードプレートの底面を覆うように形成され、隣接する２つのバーナー用開口に対応する位置にバーナー用開口の各々を露出させるのに必要な穴より大きな２つの本体穴が形成された底部を含む本体マットと、本体穴の各々を塞ぐような大きさに形成され、塞いだ状態で対応するバーナー用開口のみを露出させるのに必要な補助穴が形成された２つの補助マットとからなり、補助マットは、隣接するバーナー同士の隣接方向への移動を可能とすると共に本体マットに対する移動位置のいずれにおいても本体穴を覆う大きさに形成され、補助マットを移動させることによって補助穴の各々の中心間距離が変動するものである。
【００１７】
このように構成すると、本体マットと補助マットとによってバーナー用開口の周辺が覆われる。又、補助マットの移動によって補助穴同士の中心間距離が変動する。
【００１８】
請求項２記載の発明は、請求項１記載の発明の構成において、本体穴の各々は、隣接方向に長い長穴形状を有し、補助マットは本体穴の大きさにより隣接方向に対して所定寸法だけ大きく形成されているものである。
【００１９】
このように構成すると、補助マットは本体穴を塞いだ状態で隣接方向に所定寸法だけ移動可能となる。
【００２０】
請求項３記載の発明は、請求項２記載の発明の構成において、本体穴は本体マットの底部から立上る立上り部によって形成され、補助マットには、その底部から立上るように形成され、立上り部が当接した状態で隣接方向への補助マットの所定範囲の移動を可能とする平坦部が形成されるものである。
【００２１】
このように構成すると、補助マットの移動が平坦部によって所定範囲に規制される。
【００２２】
請求項４記載の発明は、請求項３記載の発明の構成において、補助マットは、その底部の外周縁から立上る立上り部と、立上り部の上端から水平方向に伸びるフランジ部とを更に備えたものである。
【００２３】
このように構成すると、補助マット上に落下した煮こぼれ等が本体マットへ流出しない。
【００２４】
請求項５記載の発明は、請求項３又は請求項４記載の発明の構成において、本体マットに対する補助マットの移動中心位置において、補助穴の軸は本体穴の軸に対して補助マットの移動方向に対して偏心しているものである。
【００２５】
このように構成すると、補助マットを本体マットに対して反転させて設置した場合を含めた補助穴の移動可能範囲が拡大する。
【００２８】
【発明の効果】
以上説明したように、請求項１記載の発明は、本体マットと補助マットとによってバーナー用開口の周辺が覆われる。又、補助マットの移動によって補助穴同士の中心間距離が変動するので、バーナーの位置が製品によってずれていても、バーナーの周辺を確実に覆うことが可能となる。従って従来のように製品ごとにシステムキッチンレンジ用汁受け皿覆いを製造する必要がなくコスト的に有利となる。
【００２９】
請求項２記載の発明は、請求項１記載の発明の効果に加えて、隣接するバーナー同志の間隔の相違に応じて所定寸法を決定することによって効率的な補助マットの大きさとなる。
【００３０】
請求項３記載の発明は、請求項２記載の発明の効果に加えて、補助マットが不用意に本体マットに対してずれる虞がなく、確実にバーナーの周辺を覆うことが可能となる。
【００３１】
請求項４記載の発明は、請求項３記載の発明の効果に加えて、汚れた補助マットを重点的に取替えることによって本体マットの使用寿命を長くすることが可能となり、効率的な汁受け皿覆いとなる。
【００３２】
請求項５記載の発明は、請求項３又は請求項４記載の発明の効果に加えて、補助穴の本体穴に対する調整代が飛躍的に拡大し、より使い勝手が向上する。
【００３４】
【発明の実施の形態】
図１はこの発明の第１の実施の形態によるシステムキッチンレンジ用汁受け皿覆いを構成する本体マットの概略構成を示す平面図であり、図２は図１のＩＩ−ＩＩラインの断面図である。
【００３５】
これらの図を参照して、本体マット１５はこれを取付けるべき対象となるシステムキッチンレンジのガードプレートの底面の形状に対応する底部１６と、底部１６の外周縁から斜め上方に立上る側壁部１７と、側壁部１７の上端縁から水平方向に伸びるフランジ部１８と、フランジ部１８の外周縁に形成された縁巻２４とから構成される。尚、この本体マット１５は、３口用のシステムキッチンレンジに対応したものであり、底部１６の図における上方部には、上部のバーナー用開口を露出するに必要な丸穴２３が、立上り部２９と立上り部２９の端部に形成された縁巻３０によって形成されている。
【００３６】
一方、底部１６の図における下方部には、横方向に並列的に位置するバーナー用開口に対応する長穴２１及び長穴２２が各々、立上り部２５及び立上り部２５の端部に形成された縁巻２６と、立上り部２７及び立上り部２７の端部に形成された縁巻２８とによって形成されている。尚、長穴２１及び長穴２２ともに対応するバーナー用開口を露出させるのに必要な穴より十分大きな穴となっている。具体的には、長穴２１及び長穴２２は対応するバーナー同志の隣接方向に特に長く形成されたものとなっており、長穴２１及び長穴２２は本体マット１５の本体穴を構成する。尚、長穴２１及び長穴２２の機能的な特徴については後述する。
【００３７】
本体マット１５の中央部には水平方向に蛇腹部１９が形成されており、丸穴２３が形成されている区画と長穴２１及び長穴２２が形成されている区画とを仕切っている。蛇腹部１９は伸縮機能を有するため、上方部のバーナー用開口と下方部の２つのバーナー用開口との距離に対して成形時の本体マット１５の対応する距離が一致していない場合には、蛇腹部１９によってその相違を調整することが可能である。
【００３８】
又、蛇腹部１９から本体マット１５の下方領域において、長穴２１が形成されている区画と長穴２２が形成されている区画とを仕切るための堰部２０が形成されている。このように蛇腹部１９及び堰部２０が形成されて３つの区画が仕切られているため、各々の区画に落下した調理時の煮汁等は他の区画へ流出することがない。
【００３９】
尚、本体マット１５のフランジ部１８の形状は従来例で示した汁受け皿覆い７８の形状と異なっているが、この実施の形態においては本体マット１５のフランジ部１８はガードプレート４８の平坦面５２に載置せずに、段部５１に載置するためである。従って、従来例のような設置の方法を採用する場合には、フランジ部１８の形状は図１３に示したような従来例の形状と同様にしてもよい。
【００４０】
図３はこの発明の第１の実施の形態によるシステムキッチンレンジ用汁受け皿覆いを構成する補助マットの外観形状を示す平面図であり、図４は図３のＩＶ−ＩＶラインの断面図である。
【００４１】
これらの図を参照して、補助マット３５は長穴形状から円形状を引いた三日月形状の内周底部３９が形成され、内周底部３９から図において左方向に円環形状に立上る立上り部３８と立上り部３８の端部に形成された縁巻３７とによって丸穴３６が構成されている。丸穴３６は、対応するバーナー用開口のみを露出させるのに必要な大きさの円形状となっており、本体マットの本体穴に対する補助穴を構成する。
【００４２】
一方、内周底部３９の右側及び上下側にはその下部が隆起した平坦部４０が長円環状に形成されており、その外方部は内周底部３９と同一レベルの外周底部４１が平面状に形成されている。外周底部４１の外周端は斜め上方に立上って立上り部４２を形成し、立上り部４２の上端部には水平方向に伸びるフランジ部４３が接続され、フランジ部４３の外周端には縁巻４４が形成されている。
【００４３】
図４に示されているように使用時には、二点鎖線で示されている本体マット１５の上に補助マット３５を設置する。このとき本体マット１５の長穴２２を構成する立上り部２７ａ，立上り部２７ｂは、補助マット３５の平坦部４０ａ,平坦部４０ｂに当接することになる。平坦部４０ａ，平坦部４０ｂの各々は、図４に示されているように隣接するバーナー方向に一定の幅Ｌ１で形成されている。そして縁巻２８を含む立上り部２７の平坦部は図３に破線で示されているように平坦部４０のほぼ中央に位置するような大きさに形成されているため、補助マット３５を本体マット１５の上に載置された状態で矢印で示す方向にスライドさせることが可能となる。
【００４４】
又、平坦部４０ａは内周底部３９及び外周底部４１の面から隆起しているため、矢印の方向に補助マット３５を移動させた場合の立上り部２７に対するストッパーとしての機能も果たし、本体マット１５の縁巻２８から平坦部４０ａ，平坦部４０ｂが脱落する虞はない。
【００４５】
次に図４を参照して、補助マット３５の丸穴３６の調整可能な範囲について説明する。
【００４６】
図において、Ｘは本体マット１５の長穴２２の中心軸を表し、Ｙ１は補助マット３５の丸穴３６の中心軸を表したものである。この場合、補助マット３５における丸穴３６のスライド方向の長さをＳとすると、先に説明したように平坦部４０ａ，平坦部４０ｂに当接する立上り部２７ａ，立上り部２７ｂの関係から補助マット３５の丸穴３６は軸Ｙ１を中心としてＳ１の範囲に移動させることが可能となる。
【００４７】
次に、軸Ｙ２は補助マット３５を左右反転させた場合の丸穴３６の中心軸を表したものである。この状態においては補助マット３５の丸穴３６は軸Ｙ２を中心としてＳ２の範囲に移動可能となる。このように補助マット３５を正立時及び反転時においての各々の調整可能範囲を考慮するとＳ１の範囲とＳ２との範囲とを重ね合わせたＳ３の範囲が補助マット３５の丸穴３６の長穴２２に対する移動可能な範囲となる。図から明らかのように、この範囲Ｓ３は本体マット１５の長穴２２の範囲Ｃの大部分をカバーしている。
【００４８】
従って、本体マット１５の長穴２２内から露出するバーナー用開口に対しては、補助マット３５をスライド、反転等させることによってその開口のみを露出するようにほぼすべて被覆することが可能となる。このように補助マット３５の丸穴３６の中心軸Ｙ１を本体マット１５の長穴２２の中心軸Ｘに対して偏心させることによって丸穴３６の調整代が飛躍的に拡大することになる。
【００４９】
図５はこの発明の第１の実施の形態によるシステムキッチンレンジ用汁受け皿覆いを使用した状態の端面図である。
【００５０】
図を参照して、レンジトッププレート４７に対して埋め込まれるように設置されたガードプレート４８の底面４９に形成された、バーナー５３のためのバーナー用開口５５を露出させるように本体マット１５を設置する。この場合本体マット１５の長穴２２は図１において示したようにバーナー用開口５５に対して十分大きな寸法に形成されているため、バーナー用開口５５の位置が製品によって多少異なっていてもこれを問題なく露出させることができる。この状態で本体マット１５のフランジ部１８は、ガードプレート４８の周壁面５０と平坦面５２との境界部に形成された段部５１の上に載置される。
【００５１】
次に、本体マット１５の上に補助マット３５を、本体マット１５の縁巻２８に補助マット３５の平坦部４０が当接するようにして載置する。この状態で上述のように補助マット３５は本体マット１５に対して矢印方向に調整することが可能である。補助マット３５の丸穴３６はガードプレート４８のバーナー用開口５５を露出させるのに必要な最小寸法となっているため、矢印方向に補助マット３５を移動させて、丸穴３６をバーナー用開口５５に整列させるように調整する。
【００５２】
補助マット３５の調整が終了すると、補助マット３５の上にバーナー５３の周りを囲うバーナーリング５４を設置して補助マット３５を安定化させる。補助マット３５のフランジ部４３の外方端部は本体マット１５のフランジ部１８の上に位置しており、これらの上に五徳５６を設置することによって本体マット１５及び補助マット３５が固定される。
【００５３】
図５においては図１に示した左側の長穴２２周りの取付け状態を示しているが、長穴２１に対しても同様に補助マット３５を設置すればよい。これによって、取付けるべきシステムキッチンレンジのバーナー間距離が異なったものであっても同一形状の本体マット１５を設置して、これに補助マット３５を重ねることによってそのバーナー用開口周りを確実に覆うことが可能となり、その周辺の汚れを防止する。図５に示されているように調理時の煮汁等はバーナーリング５４及び補助マット３５によって確実に補集され、本体マット１５へ流出することはない。従って、使用によって補助マット３５が汚れた場合には、コスト的に低い補助マット３５のみを取替えることによってコスト的に高い本体マット１５の製品寿命を長くすることが可能となる。
【００５４】
図６はこの発明の第２の実施の形態によるシステムキッチンレンジ用汁受け皿覆いに用いられる補助マット６１の外観形状を示す平面図であり、図７は図６のＶＩＩ−ＶＩＩラインの断面図である。
【００５５】
これらの図を参照して、補助マット６１は、長円形状から偏心した位置の円形状を取除いた環状形状の平坦部６５と、平坦部６５の内方部に形成された円環形状の立上り部６４と、立上り部６４の端部に形成された縁巻６３と、平坦部６５の外方部から立ち下がって水平方向に形成された底部６６と底部６６の端部に形成された縁巻６７とによって構成されている。補助マット６１の縁巻６３によって形成された丸穴６２は、対応するバーナー用開口のみが露出する寸法となっている。
【００５６】
使用時には、図７に示されているように補助マット６１の平坦部６５ａ及び平坦部６５ｂの下面に二点鎖線で示した本体マット１５の立上り部２７ａ及び立上り部２７ｂの各々が当接する。これによって、先の第１の実施の形態による補助マット３５と同様に補助マット６１を矢印の方向に移動させることが可能となる。また同様に補助マット６１の丸穴６２の中心軸Ｙは、本体マット１５の長穴２２の中心軸Ｘから偏心した位置となっている。そのため、先の第１の実施の形態において説明したように、補助マット６１の丸穴６２の調整範囲によって、本体マット１５の長穴２２の大部分をカバーすることが可能となる。
【００５７】
図８は図７で示した補助マット６１の使用状態を示した端面図である。
【００５８】
図を参照して、取付け時には、バーナーリング５４及び五徳５６を取外して、ガードプレート４８の底面４９上に本体マット１５を設置する点は先の第１の実施の形態と同様である。次に補助マット６１を本体マット１５の上に設置して、その丸穴６２が底面４９のバーナー用開口５５に整列するようにしてその位置を調整する。補助マット６１の調整が完了した後、バーナーリング５４及び五徳５６を元の位置に戻すことによって取付けは完了する。
【００５９】
このように、この実施の形態による補助マット６１を用いることによって、取付けるべきガードプレート４８のバーナー間の距離が異なっていても、同一寸法の本体マット１５及び補助マット６１によってバーナー５３のバーナー用開口５５周りを確実に塞ぐことができる。その結果、ガードプレート４８の底面４９の上面を調理時の煮汁等の汚れから確実に防止することが可能となる。
【００６０】
図９はこの発明の第２の実施の形態による補助マット６１を用いた使用例の他の例を示した端面図である。
【００６１】
図を参照して、この使用例にあっては、先の使用例とは異なりバーナーリング５４の上に補助マット６１を設置している。本体マット１５の立上り部２７によって構成される長穴２２は、取付けるべきガードプレート４８のバーナー用開口５５に対して十分大きく形成されている。従って、本体マット１５の長穴２２によって露出したガードプレート４８の底面４９の部分にバーナーリング５４を載置することが可能である。この状態で補助マット６１を本体マット１５及びバーナーリング５４の上に設置して、丸穴６２をバーナー用開口５５に整列するように調整する。これによって、バーナーリング５４も補助マット６１によってカバーされることになり、底面４９の上面とともに調理時の煮汁等の汚れから保護されることが可能となる。このようにして取付けるべきガードプレート４８のバーナー間距離が異なったものであっても、バーナー用開口５５周りを同一寸法の本体マット１５及び補助マット６１によって全面的に被覆することが可能となる。
【００６２】
尚、上記の実施の形態においては本体マット１５の長穴２１及び長穴２２を隣接するバーナー方向に長く伸びる長円形状としているが、形状はこれに限らず又その大きさもバーナー用開口に対していずれの方向に対しても大きなものとしてもよい。
【００６３】
又、上記の実施の形態においては、隣接する２つのバーナーに対して適用しているが、本体マットと補助マットとを組み合わせてバーナー用開口周りを確実に塞ぐという思想は、１つのバーナー用開口に対しても適用できることはいうまでもない。
【００６４】
更に、上記の実施の形態においては、３口形式のレンジを対象としているが、他の４口形式等のレンジにも本発明を適用できることは言うまでもない。
【図面の簡単な説明】
【図１】この発明の第１の実施の形態によるシステムキッチンレンジ用汁受け皿覆いを構成する本体マットの外観形状を示した平面図である。
【図２】図１のＩＩ−ＩＩラインの断面図である。
【図３】この発明の第１の実施の形態によるシステムキッチンレンジ用汁受け皿覆いを構成する補助マットの外観形状を示した平面図である。
【図４】図３のＩＶ−ＩＶラインの断面図である。
【図５】この発明の第１の実施の形態によるシステムキッチンレンジ用汁受け皿覆いの使用状態を示した端面図である。
【図６】この発明の第２の実施の形態によるシステムキッチンレンジ用汁受け皿覆いを構成する補助マットの外観形状を示した平面図である。
【図７】図６のＶＩＩ−ＶＩＩラインの断面図である。
【図８】この発明の第２の実施の形態によるシステムキッチンレンジ用汁受け皿覆いの使用状態を示した端面図である。
【図９】この発明の第２の実施の形態によるシステムキッチンレンジ用汁受け皿覆いの使用状態の他の例を示す端面図である。
【図１０】一般のシステムキッチンレンジの概略構造を示した平面図である。
【図１１】従来のシステムキッチンレンジ用汁受け皿覆いの外観形状を示した平面図である。
【図１２】従来のシステムキッチンレンジ用汁受け皿覆いを使用した状態のシステムキッチンレンジの平面図である。
【図１３】図１２のＸＩＩＩ−ＸＩＩＩラインの端面図である。
【符号の説明】
１５…本体マット
１６…底部
２１，２２…長穴
２５，２７…立上り部
３５…補助マット
３６…丸穴
３９…内周底部
４０…平坦部
４１…外周底部
４２…立上り部
４３…フランジ部
４８…ガードプレート
４９…底面
５３…バーナー
５５…バーナー用開口
６１…補助マット
６２…丸穴
６５…平坦部
７０…システムキッチンレンジ
７１，７３…バーナー
尚、各図中同一符号は同一又は相当部分を示す。
【図１】
0004328451.tif 000002
【図２】
0004328451.tif 000003
【図３】
0004328451.tif 000004
【図４】
0004328451.tif 000005
【図５】
0004328451.tif 000006
【図６】
0004328451.tif 000007
【図７】
0004328451.tif 000008
【図８】
0004328451.tif 000009
【図９】
0004328451.tif 000010
【図１０】
0004328451.tif 000011
【図１１】
0004328451.tif 000012
【図１２】
0004328451.tif 000013
【図１３】
0004328451.tif 000014